【手続補正書】
【提出日】平成17年6月2日(2005.6.2)
【手続補正１】
【補正対象書類名】明細書
【補正対象項目名】全文
【補正方法】変更
【補正の内容】
【書類名】        明細書
【発明の名称】      テカリ防止用のオイルゲル化粧料
【特許請求の範囲】
【請求項１】  １）１０〜６０％の光透過率を有する半透明粉体と、
２）シリコーンオイルと、
３）有機増粘剤とを含有し、
前記シリコーンオイル以外の油剤を実質的に含んでいない
ことを特徴とする、テカリ防止用のオイルゲル化粧料。
【請求項２】  前記半透明粉体が、アクリル樹脂粉体、メチルシロキサン網状重合体、架橋型メチルポリシロキサン粉体、ナイロンパウダー及びシルクパウダーから選ばれる１種乃至は２種以上である
ことを特徴とする、請求項１に記載のテカリ防止用のオイルゲル化粧料。
【請求項３】  前記シリコーンオイルが、揮発性シリコーンオイルと非揮発性シリコーンオイルとを２：１〜４：１で組み合わせたものである
ことを特徴とする請求項１又は２に記載のテカリ防止用のオイルゲル化粧料。
【請求項４】  前記半透明粉体の含有量が、オイルゲル化粧料全量に対して、総量で５〜４０重量％である
ことを特徴とする、請求項１〜３何れか１項に記載のテカリ防止用のオイルゲル化粧料。
【請求項５】  前記シリコーンオイルの含有量が、オイルゲル化粧料全量に対して、総量で１０〜７０重量％である
ことを特徴とする、請求項１〜４何れか１項に記載のテカリ防止用のオイルゲル化粧料。
【請求項６】 アンダーメークアップ化粧料である
ことを特徴とする、請求項１〜５何れか１項に記載のテカリ防止用のオイルゲル化粧料。
【発明の詳細な説明】
【０００１】
【発明の属する技術分野】
本発明は、オイルゲル化粧料に関し、更に詳細には、テカリ防止に有用なオイルゲル化粧料に関する。
【０００２】
【従来の技術】
化粧料、特にメークアップ化粧料は肌を美しく装うための化粧料であって、この様な目的から粉体類、色剤類の演色効果を利用して、実際の肌の上に演色性の高い化粧膜を創生し、肌を美しく見せるものである。この様な、演色効果を目的とした化粧料に於いてもっとも問題になることは、演色効果を具現する化粧被膜の経時的な変化である。この様な経時変化としては、例えば、化粧がくすむ、化粧がテカル、地肌が露出するなどの現象が挙げられる。
【０００３】
この内、くすみに関しては、粉体の疎水化処理や複合粉体の使用により、かなり抑制できることが知られてきているし、地肌の露出も粉体の表面処理や密着性の高い油剤の使用により克服されつつある。しかしながら、皮脂の過剰分泌などに由来する、油性成分の皮膚上での過剰存在を原因とするテカリについては、今のところその対応策は取られていない。
【０００４】
一方、化粧料の分野でテカリ防止用の化粧料は全く知られておらず、従って、半透明粉体とシリコーンオイルの組み合わせがテカリ防止に極めて有用であることも全く知られていなかった。
【０００５】
【発明が解決しようとする課題】
本発明は、この様な状況下為されたものであり、テカリを防止し、化粧の美しさを持続するのに有用な化粧料を提供することを課題とする。
【０００６】
【課題を解決するための手段】
本発明者らは、この様な状況に鑑みて、テカリを防止し、化粧の美しさを持続するのに有用な化粧料を求めて、鋭意研究努力を重ねた結果、半透明粉体とシリコーンオイルとを組み合わせたオイルゲル化粧料がテカリ防止に極めて有用であることを見出し、発明を完成させるに至った。即ち、本発明は以下に示す技術に関するものである。
【０００７】
（１）１）１０〜６０％の光透過率を有する半透明粉体と、２）シリコーンオイルと、３）有機増粘剤とを含有し、前記シリコーンオイル以外の油剤を実質的に含んでいないことを特徴とする、テカリ防止用のオイルゲル化粧料。
（２）前記半透明粉体が、アクリル樹脂粉体、メチルシロキサン網状重合体、架橋型メチルポリシロキサン粉体、ナイロンパウダー及びシルクパウダーから選ばれる１種乃至は２種以上であることを特徴とする、（１）に記載のテカリ防止用のオイルゲル化粧料。
（３）前記シリコーンオイルが、揮発性シリコーンオイルと非揮発性シリコーンオイルとを２：１〜４：１で組み合わせたものであることを特徴とする（１）又は（２）に記載のテカリ防止用のオイルゲル化粧料。
（４）前記半透明粉体の含有量が、オイルゲル化粧料全量に対して、総量で５〜４０重量％であることを特徴とする、（１）〜（３）何れか１つに記載のテカリ防止用のオイルゲル化粧料。
（５）前記シリコーンオイルの含有量が、オイルゲル化粧料全量に対して、総量で１０〜７０重量％であることを特徴とする、（１）〜（４）何れか１つに記載のテカリ防止用のオイルゲル化粧料。
（６）アンダーメークアップ化粧料であることを特徴とする、（１）〜（５）何れか１つに記載のテカリ防止用のオイルゲル化粧料。
以下、本発明について実施の形態を中心に更に詳細に説明を加える。
【０００８】
【発明の実施の形態】
（１）本発明のテカリ用の化粧料の必須成分である半透明粉体
本発明のテカリ防止用の化粧料は、半透明粉体を含有することを特徴とする。本発明で言う半透明粉体とは、１０〜６０％程度の透過率を有するような、透明とは言い難いが、光を透過させないわけではない粉体を意味する。
【０００９】
具体的には、シリカ、メチルシロキサン網状重合体、架橋型メチルポリシロキサン、珪酸カルシウム、珪酸マグネシウムなどの珪酸関連化合物、ナイロンパウダーやシルクパウダー等のポリアミド化合物、アクリル酸、メタクリル酸或いはこれらのエステルの重合体や共重合体などのアクリル樹脂粉体などが好ましく例示でき、アクリル樹脂粉体、メチルシロキサン網状重合体、架橋型メチルポリシロキサン粉体、ナイロンパウダー及びシルクパウダーから選ばれる１種乃至は２種以上が更に好ましく例示できる。アクリル樹脂粉体については、内部が空白の中空タイプのものが特に好ましい。
【００１０】
本発明のテカリ防止用の化粧料に於ける、かかる半透明粉体の好ましい含有量は、５〜４０％であり、更に好ましくは１０〜３０重量％である。これは少なすぎるとテカリ防止作用を発現しない場合があり、多すぎてもこの様な効果が頭打ちになるばかりか、処方の自由度を損なう場合があるからである。
【００１１】
（２）本発明のテカリ防止用の化粧料の必須成分であるシリコーンオイル
本発明のテカリ防止用の化粧料は、シリコーンオイルを必須成分として含有する。本発明に言う、シリコーンオイルとは、オルガノシリコーンであって、２５℃、１気圧の条件下で流動性を有する形態のものの総称を意味する。
【００１２】
具体的には直鎖、分岐或いは環状構造を有するアルキルポリシロキサン、アルキルフェニルポリシロキサン等の化粧料で通常用いられるシリコーンオイル類が特に好ましく例示できる。これらシリコーンオイルは唯一種を含有させることもできるし、二種以上を組み合わせて含有させることもできる。
【００１３】
好ましい形態としては、デカメチルシクロペンタシロキサン等の１気圧に於ける沸点が２００℃以下の、所謂揮発性シリコーンオイルと１気圧で２５℃では殆ど揮散しないシリコーンオイルとを組み合わせて含有させることが好ましい。この様な組み合わせで特に好ましいものは、揮発性シリコーンとメチルフェニルポリシロキサンの組み合わせである。
【００１４】
これらの割合は揮発性シリコーンオイル：非揮発性シリコーンオイル＝２：１〜１：４が好ましく、更に好ましくは１：１〜１：２である。これは、揮発性シリコーンオイルが多すぎると仕上がりが粉っぽくなりすぎてしまい仕上がりを損なう場合があり、非揮発性シリコーンオイルが多すぎるとテカリ抑制効果が損なわれてしまう場合があるからである。
【００１５】
本発明のテカリ防止用の化粧料に於けるこれらシリコーンオイルの好ましい含有量は化粧料全量に対して、総量で１０〜７０重量％であり、更に好ましくは２０〜６０重量％である。これはかかるシリコーンオイルが多すぎると成形性を損なう場合があり、少なすぎると化粧効果を損なう場合があるからである。
【００１６】
（３）本発明のテカリ防止用のオイルゲル化粧料
本発明のテカリ防止用のオイルゲル化粧料は上記必須成分を含有し、テカリを防止する目的で使用されることを特徴とする。本発明のテカリ防止用のオイルゲル化粧料は、メークアップの下にアンダーメークアップとして使用することもできるし、メークアップの上にオーバーメークアップとして使用することもできる。何れの使用に於いても、又、アンダーメークアップとオーバーメークアップの両方の使用に於いても、テカリによるメークアップの演色効果の低下を防ぐことが可能である。特に好ましい使用はアンダーメークアップとしての使用である。
【００１７】
本発明のテカリ防止用のオイルゲル化粧料に於いて、テカリ防止作用を発現するのは半透明粉体とシリコーンオイルとの組み合わせであるが、これを使用に適した形態、即ち、固形乃至は半固形の形態に成形するために、有機の増粘剤を用い、オイルゲルとする。かかる有機の増粘剤としては、通常化粧料で使用されているものであれば、特段の限定無く使用できるが、例えば、４級アンモニウム塩等で変性した、有機変性ベントナイト類やデキストリン脂肪酸エステルなどが好ましく例示できる。
【００１８】
通常のオイルゲルでは、カルナウバワックスやポリエチレンなどのワックス類でオイルゲル構造を作るが、この様な形態であると必須成分となるワックス類がテカリを増大させることがあり、本発明の効果を損なうことなく発揮できない場合があるので、有機増粘剤を用いたオイルゲルとするのが好ましい。
【００１９】
特に好ましい有機増粘剤としては、デキストリン脂肪酸エステル、取り分け千葉製粉株式会社より市販されている、デキストリンパルミチン酸エステルである、「レオパールＫＬ」が市販品として好ましく例示できる。勿論アルカリ存在下デキストリンと脂肪酸より誘導した酸クロリドを反応させて合成して使用することもできる。
【００２０】
かかる有機増粘剤の好ましい含有量は、化粧料全量に対して、１〜２０重量％であり、更に好ましくは５〜１０重量％である。これは多すぎるとゲルが固くなり過ぎ使用性を損なう場合があり、少なすぎると硬度が得られず安定性が損なわれる場合があるからである。
【００２１】
本発明のテカリ防止用のオイルゲル化粧料に於いては、本発明の効果を損なわない範囲に於いて、通常化粧料で使用される任意の成分を含有することができる。かかる任意の成分としては、例えば、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、水性の増粘・ゲル化剤、酸化防止剤、紫外線吸収剤、色剤、防腐剤、粉体、ヒアルロン酸及びその塩、トレハロース及びその類縁体、コンドロイチン硫酸及びその塩、ヘパリン類似物質、糖鎖を側鎖に有する高分子又はコラーゲンの等保湿性有効成分を含有することができる。
【００２２】
この様な任意成分を選択する上で、留意すべきことはテカリを増加させる物質や、テカリの原因となる物質を選択しないことであり、この観点で、テカリを増強する傾向にあるシリコーンオイル以外のオイルやワックス成分を実質的に含まない、言い換えれば、油剤構成がシリコーンオイルのみであることが重要である。
【００２３】
更に、非イオン界面活性剤もテカリに寄与が大きいので含有量を１重量％以下、更に好ましくは含まないようにすることが好ましい。これら必須成分と任意成分とを常法に従って処理することにより、本発明のテカリ防止用のオイルゲル化粧料は製造することができる。
【００２４】
【実施例】
以下に、実施例を挙げて、本発明について更に詳細に説明を加えるが、本発明がこれら実施例にのみ限定を受けないことは言うまでもない。
【００２５】
＜実施例１〜３＞
下記に示す処方に従って、本発明のテカリ防止用のオイルゲル化粧料を作製した。即ち、（イ）の成分を０．１ｍｍヘリングボーンスクリーンを装着したパルベライザーで粉砕し、予め８０℃に加温した（ロ）の成分に加え、良く攪拌した後、攪拌冷却し、３本ロールにかけて均質化して、本発明のテカリ防止用のオイルゲル化粧料をジェルとして得た。比較例としてシリコーンオイルを他のオイルに置換したものを作製した。
【００２６】
これらのオイルゲル化粧料をアンダーメークアップ化粧料として、テカリの著しいパネラー３名に使用し、下記に処方を示すファンデーションでメークアップし、その３時間後にテカリの出現状況を調べた。
【００２７】
テカリの出現状況は、顔を専門パネラーにより評価した、官能評価（評点０：テカリ無し、評点１：Ｔゾーンにのみテカリがやや感じられる、評点２：Ｔゾーンに明らかにテカリが認められる、評点３：Ｔゾーン以外にもテカリが認められる、評点４：顔全体に明瞭にテカリが認められる、の基準で評価）と標準色板（黒、灰色、白）とともに画像を取込、３つの標準色板により、輝度を補正し、顔画像全体の平均輝度を算出し、メーク直後の顔画像の平均輝度からの上昇率として求めた。対照としては、アンダーメークアップを用いない場合をとった。結果を平均値として表１に示す。
【００２８】
これより、本発明のテカリ防止用のオイルゲル化粧料であるアンダーメークアップはテカリの防止作用に優れることがわかる。又、これはオイルをシリコーンオイルの使用によって到達しうること、シリコーンオイルの組み合わせとしては、揮発性シリコーンオイルと非揮発性シリコーンオイルとを組み合わせることにより効果が増大することもわかる。
【００２９】
（イ）
中空アクリル樹脂粉体                            １５    重量部
（ロ）
架橋型メチルポリシロキサン樹脂（エラストマー）  １０    重量部
「レオパールＫＬ」                              １５    重量部
液体油剤＊                                      ６０    重量部
＊詳細は表１に記す。
【００３０】
（ファンデーション）
シリコーン処理二酸化チタン                      ２０    重量部
シリコーン処理黄色酸化鉄                          ５    重量部
シリコーン処理ベンガラ                            ０．５重量部
シリコーン処理タルク                            １５    重量部
シリコーン処理着色セリサイト                    ２５    重量部
シリコーン処理マイカ                            １５    重量部
シリコーン処理チタンマイカ                        ２    重量部
メチルシロキサン網状重合体                        １．５重量部
ナイロンパウダー                                  １    重量部
ジメチコン                                        ５    重量部
オレイン酸オクチルドデシル                        ５    重量部
スクワラン                                        ５    重量部
【００３１】
【表１】
2002187811.tif 000001
【００３２】
＜実施例４〜７＞
実施例１〜３と同様に、粉体を変えてアンダーメークアップを作製し、同様に評価した。結果を表２に示す。本発明のテカリ防止用のオイルゲル化粧料では、半透明粉体であれば何れも使用可能であることがわかる。
【００３３】
（イ）
粉体＊＊                                        １５    重量部
（ロ）
架橋型メチルポリシロキサン樹脂（エラストマー）  １０    重量部
「レオパールＫＬ」                              １５    重量部
デカメチルシクロペンタシロキサン                ２０    重量部
メチルフェニルポリシロキサン                    ４０    重量部
＊＊詳細は表２に示す。
【００３４】
【表２】
2002187811.tif 000002
【００３５】
＜実施例８＞
上記実施例と同様に下記に示す処方に従って、本発明のテカリ防止用のオイルゲル化粧料であるアンダーメークアップを作製した。このものは上記の官能評価に於いてテカリ値１．４であり、良好な結果であった。
【００３６】
（イ）
アクリル樹脂中空粉体                            １５    重量部
メチルポリシロキサン網状重合体                    ５    重量部
（ロ）
架橋型メチルポリシロキサン樹脂（エラストマー）  １０    重量部
有機変性ベントナイト                            １５    重量部
デカメチルシクロペンタシロキサン                ２０    重量部
メチルフェニルポリシロキサン                    ３５    重量部
【００３７】
＜実施例９＞
実施例１のオイルゲル化粧料をオーバーメークアップとして使用したところ、官能評価値で１．２であり、オーバーメークアップとしても使用可能であることが明白になった。
【００３８】
【発明の効果】
本発明によれば、テカリを防止し、化粧の美しさを持続するのに有用なオイルゲル化粧料を提供することができる。